【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
ポリウレタン充填バラスト層を準備すること、
ポリウレタン充填バラスト層の表面に第１反応系を噴霧してポリウレタン外部保護層を形成することを含む方法であって、該第１反応系が、
（１ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（１ｂ）２００を超える平均分子量および２〜６の官能価を有する１つ以上のポリエーテルポリオールおよび／またはアミン末端ポリエーテル；
（１ｃ）１つ以上の延長剤；および
（１ｄ）（１ｂ）および（１ｃ）１００重量％に対して０〜０．５重量％の１つ以上の発泡剤
を含み、ポリウレタン外部保護層の引張強度が４〜２０ＭＰａである方法。
【請求項２】
ポリウレタン充填バラスト層が、バラストおよびバラスト間に充填されたポリウレタンフォームを含み、該ポリウレタンフォームが、下記反応成分
（２ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（２ｂ）ポリエーテルポリオール、ポリエステルポリオール、ポリカーボネートポリオール、ポリカプロラクトンポリオールおよびポリテトラヒドロフランポリオールからなる群から選択される１つ以上のポリオール；
（２ｃ）１つ以上の延長剤；および
（２ｄ）（２ｂ）および（２ｃ）１００重量％に対して０．３〜４．５重量％の１つ以上の発泡剤
を含む第２反応系の反応生成物を含み、ポリウレタンフォームの破断点伸びが１２０〜４００％である、請求項１に記載の方法。
【請求項３】
ポリウレタン充填バラスト層およびポリウレタン外部保護層を含む線路道床であって、該ポリウレタン外部保護層が第１反応系の反応生成物を含み、該第１反応系をポリウレタン充填バラスト層の表面に噴霧し、該第１反応系が下記反応成分：
１ａ）Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（１ｂ）２００を超える平均分子量および２〜６の官能価を有する１つ以上のポリエーテルポリオールおよび／またはアミン末端ポリエーテル；
（１ｃ）１つ以上の延長剤；および
（１ｄ）（１ｂ）および（１ｃ）１００重量％に対して０〜０．５重量％の１つ以上の発泡剤
を含み、ポリウレタン外部保護層の引張強度が４〜２０ＭＰａである線路道床。
【請求項４】
ポリウレタン充填バラスト層が、バラストおよびバラスト間に充填されたポリウレタンフォームを含み、該ポリウレタンフォームが、下記反応成分
（２ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（２ｂ）ポリエーテルポリオール、ポリエステルポリオール、ポリカーボネートポリオール、ポリカプロラクトンポリオールおよびポリテトラヒドロフランポリオールからなる群から選択される１つ以上のポリオール；
（２ｃ）１つ以上の延長剤；および
（２ｄ）（２ｂ）および（２ｃ）１００重量％に対して０．３〜４．５重量％の１つ以上の発泡剤
を含む第２反応系の反応生成物を含み、ポリウレタンフォームが１２０〜４００％の破断点伸びを有する、請求項３に記載の線路道床。
【請求項５】
線路路盤を準備すること、およびポリウレタン充填バラスト層およびポリウレタン外部保護層を線路路盤へ適用することを含む、請求項３に記載の線路道床の敷設方法。
【手続補正２】
【補正対象書類名】明細書
【補正対象項目名】０１０４
【補正方法】変更
【補正の内容】
【０１０４】
本発明を実施例により説明したが、本発明はいかなる実施例によっても制限されるものではない。本発明の精神と範囲から外れることのない限り、当業者は任意に修飾および変更を行うことができる。本発明の保護は、特許請求の範囲および明細書の記載に基づく。
本発明の好ましい態様は以下を包含する。
〔１〕  ポリウレタン充填バラスト層を準備すること、
ポリウレタン充填バラスト層の表面に第１反応系を噴霧してポリウレタン外部保護層を形成することを含む方法であって、該第１反応系が、
（１ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（１ｂ）２００を超える平均分子量および２〜６の官能価を有する１つ以上のポリエーテルポリオールおよび／またはアミン末端ポリエーテル；
（１ｃ）１つ以上の延長剤；および
（１ｄ）（１ｂ）および（１ｃ）１００重量％に対して０〜０．５重量％の１つ以上の発泡剤
を含み、ポリウレタン外部保護層の引張強度が４〜２０ＭＰａである方法。
〔２〕  ポリウレタン外部保護層の密度が０．６〜１．５ｇ／ｃｍ３であって、ポリウレタン外部保護層の硬度が１０〜９０ショアＡであって、ポリウレタン外部保護層の破断点伸びが１００〜５５０％である、〔２〕に記載の方法。
〔３〕  ポリウレタン充填バラスト層が、バラストおよびバラスト間に充填されたポリウレタンフォームを含み、該ポリウレタンフォームが、下記反応成分
（２ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（２ｂ）ポリエーテルポリオール、ポリエステルポリオール、ポリカーボネートポリオール、ポリカプロラクトンポリオールおよびポリテトラヒドロフランポリオールからなる群から選択される１つ以上のポリオール；
（２ｃ）１つ以上の延長剤；および
（２ｄ）（２ｂ）および（２ｃ）１００重量％に対して０．３〜４．５重量％の１つ以上の発泡剤
を含む第２反応系の反応生成物を含み、ポリウレタンフォームの破断点伸びが１２０〜４００％である、〔１〕に記載の方法。
〔４〕  ポリウレタンフォームの密度が０．０２〜０．５ｇ／ｃｍ３であって、ポリウレタンフォームの硬度が５〜６０アスカーＣであって、ポリウレタンフォームの引張強度が０．２〜５ＭＰａである、〔３〕に記載の方法。
〔５〕  ポリウレタン充填バラスト層およびポリウレタン外部保護層を含む線路道床であって、該ポリウレタン外部保護層が第１反応系の反応生成物を含み、該第１反応系をポリウレタン充填バラスト層の表面に噴霧し、該第１反応系が下記反応成分：
１ａ）Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（１ｂ）２００を超える平均分子量および２〜６の官能価を有する１つ以上のポリエーテルポリオールおよび／またはアミン末端ポリエーテル；
（１ｃ）１つ以上の延長剤；および
（１ｄ）（１ｂ）および（１ｃ）１００重量％に対して０〜０．５重量％の１つ以上の発泡剤
を含み、ポリウレタン外部保護層の引張強度が４〜２０ＭＰａである線路道床。
〔６〕  ポリウレタン外部保護層が、０．６〜１．５ｇ／ｃｍ３の密度、１０〜９０ショアＡの硬度、および１００〜５５０％の破断点伸びを有する、〔５〕に記載の線路道床。
〔７〕  ポリウレタン充填バラスト層が、バラストおよびバラスト間に充填されたポリウレタンフォームを含み、該ポリウレタンフォームが、下記反応成分
（２ａ）式Ｒ（ＮＣＯ）ｎ〔式中Ｒは、炭素数２〜１８の脂肪族アルキル基、炭素数６〜１５の芳香族アルキル基、および炭素数８〜１５のアリール化アルキル基からなる群から選択され、ｎは２〜４の整数である〕で示される１つ以上のポリイソシアネート；
（２ｂ）ポリエーテルポリオール、ポリエステルポリオール、ポリカーボネートポリオール、ポリカプロラクトンポリオールおよびポリテトラヒドロフランポリオールからなる群から選択される１つ以上のポリオール；
（２ｃ）１つ以上の延長剤；および
（２ｄ）（２ｂ）および（２ｃ）１００重量％に対して０．３〜４．５重量％の１つ以上の発泡剤
を含む第２反応系の反応生成物を含み、ポリウレタンフォームが１２０〜４００％の破断点伸びを有する、〔５〕に記載の線路道床。
〔８〕  ポリウレタンフォームが、０．０２〜０．５ｇ／ｃｍ３の密度、５〜６０アスカーＣの硬度、および０．２〜５ＭＰａの引張強度を有する、〔７〕に記載の線路道床。
〔９〕  さらに線路路盤を含み、ポリウレタン充填バラスト層およびポリウレタン外部保護層が線路路盤の上に配置される、〔５〕に記載の線路道床。
〔１０〕  線路路盤を準備すること、およびポリウレタン充填バラスト層およびポリウレタン外部保護層を線路路盤へ適用することを含む、〔５〕に記載の線路道床の敷設方法。